(57)【要約】【課題】電磁式燃料噴射器（４）の立ち上がり時間（ＴＯ）を決定する方法の提供。【解決手段】前記電磁式燃料噴射器（４）は、前記電磁式アクチュエータ（１４）の一連の漸進的に増大する励起時間（ＴＩＮＪ）を用いて制御され、前記電磁式燃料噴射器（４）の制御毎に、前記噴射バルブ（１５）の閉じ動作の存在もしくは不在が検出され、前記噴射バルブ（１５）の閉じ動作の不在が決定された前記電磁式アクチュエータ（１４）の最後の励起時間（ＴＩＮＪ）と、前記噴射バルブ（１５）の閉じ動作の存在が決定された前記電磁式アクチュエータ（１４）の最初の励起時間（ＴＩＮＪ）との間における中間値に等しい立ち上がり時間（ＴＯ）が識別される。【選択図】図３
2019206966.tif 000002
【特許請求の範囲】
【請求項１】
閉じ位置と開き位置との間を移動して噴射バルブ（１５）を開閉する可動プランジャ（２３）と、コイル（１６）を備えると共に、前記可動プランジャ（２３）を前記閉じ位置と前記開き位置との間で移動させるべく設計された電磁式アクチュエータ（１４）と、を備えて成る電磁式燃料噴射器（４）の立ち上がり時間（ＴＯ）を決定する方法であって、
該方法は、
前記電磁式アクチュエータ（１４）の一連の漸進的に増大する励起時間（ＴＩＮＪ）を用いて前記電磁式燃料噴射器（４）を制御する段階と、
前記電磁式燃料噴射器（４）の制御毎に、前記噴射バルブ（１５）の閉じ動作の存在もしくは不在を決定する段階と、
前記噴射バルブ（１５）の閉じ動作の不在が決定された前記電磁式アクチュエータ（１４）の最後の励起時間（ＴＩＮＪ）と、前記噴射バルブ（１５）の閉じ動作の存在が決定された前記電磁式アクチュエータ（１４）の最初の励起時間（ＴＩＮＪ）との間における中間値に等しい立ち上がり時間（ＴＯ）を識別すする段階とを備えて成る、方法において、
前記電磁式燃料噴射器（４）の制御毎に、前記噴射バルブ（１５）の閉じ動作の存在もしくは不在を決定する前記段階は、
試験の開始時点（ｔ１）において、前記噴射バルブ（１５）の開き動作を確かに決定しない試験電流（ｉ）を前記電磁式アクチュエータ（１４）の前記コイル（１６）に通して流すために、前記コイル（１６）に対して正電圧（ｖ）を印加する段階と、
前記試験の終了時点（ｔ３）において、前記試験電流（ｉ）を打ち消すために、前記電磁式アクチュエータ（１４）の前記コイル（１６）に対して負電圧（ｖ）を印加する段階と、
前記試験電流（ｉ）の打ち消しの後で、前記電磁式アクチュエータ（１４）の前記コイル（１６）の少なくとも一方の端部において比較用の時間的な電圧進展（ｖ２）を検出する段階と、
前記電磁式アクチュエータ（１４）の励起の開始時点（ｔ１）において、前記噴射バルブ（１５）の開き動作を決定し得るであろう起動電流（ｉ）を前記電磁式アクチュエータ（１４）の前記コイル（１６）を通して流すために、前記コイル（１６）に対して正電圧（ｖ）を印加する段階と、
前記電磁式アクチュエータ（１４）の励起の終了時点（ｔ２）において、前記起動電流（ｉ）を打ち消すために、前記電磁式アクチュエータ（１４）の前記コイル（１６）に対して負電圧（ｖ）を印加する段階と、
前記起動電流（ｉ）の打ち消しの後で、前記電磁式アクチュエータ（１４）の前記コイル（１６）の少なくとも一方の端部にて起動用の時間的な電圧進展（ｖ１）を検出する段階と、
前記起動用の時間的な電圧進展（ｖ１）と前記比較用の時間的な電圧進展（ｖ２）との間の電圧差（Δｖ）を算出する段階と、
前記電圧差（Δｖ）の一次時間微分値（ｄΔｖ/ｄｔ）を算出する段階と、
前記電圧差（Δｖ）の前記一次時間微分値（ｄΔｖ/ｄｔ）の最大値を算出する段階と、
前記電圧差（Δｖ）の前記一次時間微分値（ｄΔｖ/ｄｔ）の前記最大値が、絶対値にて、第１閾値を超過したときにのみ、前記電磁式燃料噴射器（４）の閉じ動作の存在を識別する段階と、
前記電圧差（Δｖ）の前記一次時間微分値（ｄΔｖ/ｄｔ）の前記最大値が、絶対値にて、前記第１閾値以下であるときにのみ、前記電磁式燃料噴射器（４）の閉じ動作の不在を識別すする段階とを備えて成ることを特徴とする、方法。
【請求項２】
前記方法は、
前記立ち上がり時間（ＴＯ）の期待値を確立する段階と、
前記電磁式アクチュエータ（１４）の前記一連の漸進的に増大する励起時間（ＴＩＮＪ）を、前記立ち上がり時間（ＴＯ）の前記期待値に中心合わせする段階とを備えて成る、請求項１に記載の方法。
【請求項３】
前記方法は、
前記噴射バルブ（１５）の閉じ動作の存在又は不在を決定する上で時間分解能を確立する段階と、
前記噴射バルブ（１５）の閉じ動作の存在又は不在を決定する上で、前記電磁式アクチュエータ（１４）の一連の漸進的に増大する励起時間（ＴＩＮＪ）における該電磁式アクチュエータ（１４）の各励起時間（ＴＩＮＪ）を、前記時間分解能に等しい増大分を以て増大する段階とを備えて成る、請求項１又は２に記載の方法。
【請求項４】
前記方法は、時間的様式で、前記起動電流（ｉ）が打ち消される第１時点（ｔ４）を、前記試験電流（ｉ）が打ち消される第２時点（ｔ４）に整列させることにより、前記起動用の時間的な電圧進展（ｖ１）を前記比較用の時間的な電圧進展（ｖ２）と同期させる更なる段階を備えて成る、請求項１、２又は３に記載の方法。
【請求項５】
前記方法は、
前記電圧差（Δｖ）の最大値を算出する段階と、
前記電圧差（Δｖ）の前記最大値が、絶対値にて、第２閾値を超過したときにのみ、前記電磁式燃料噴射器（４）の閉じ動作の存在を識別する段階と、
前記電圧差（Δｖ）の前記最大値が、絶対値にて、前記第２閾値以下であれば、前記電磁式燃料噴射器（４）の閉じ動作の不在を識別する段階とを備えて成る、請求項１〜４のいずれか一項に記載の方法。
【請求項６】
前記方法は、前記電圧差（Δｖ）に対し、低域通過フィルタ、特に動窓型フィルタを適用する更なる段階を備えて成る、請求項１〜５のいずれか一項に記載の方法。
【請求項７】
前記方法は、前記起動用の時間的な電圧進展（ｖ１）及び前記比較用の時間的な電圧進展（ｖ２）が検出されるとき、前記正電圧（ｖ）又は前記負電圧（ｖ）に対してアンチエイリアス・フィルタを適用する更なる段階を備えて成る、請求項１〜６のいずれか一項に記載の方法。
【請求項８】
前記電磁式アクチュエータ（１４）の前記コイル（１６）は、高電圧端子（１００）及び低電圧端子（１０１）を有し、且つ、
前記正電圧（ｖ）又は前記負電圧（ｖ）は、第１の時間的な電圧進展（ｖ１）及び第２の時間的な電圧進展（ｖ２）が検出されるときに、前記コイル（１６）の前記２つの端子（１００、１０１）間で測定される、請求項１〜７のいずれか一項に記載の方法。
【請求項９】
前記電磁式アクチュエータ（１４）の前記コイル（１６）は、高電圧端子（１００）及び低電圧端子（１０１）を有し、且つ、
前記正電圧（ｖ）又は前記負電圧（ｖ）は、前記第１の時間的な電圧進展（ｖ１）及び前記第２の時間的な電圧進展（ｖ２）が検出されるときに、前記コイル（１６）の前記２つの低電圧端子（１０１）と、電気的アースとの間で測定される、請求項１〜７のいずれか一項に記載の方法。
【発明の詳細な説明】
【技術分野】
【０００１】
関連出願に対する相互参照
本願は、２０１８年５月２８日に出願された伊国特許出願第１０２０１８０００００５７６５号の優先権を主張するものであり、参照することによりその開示内容全体は本明細書中に援用される。
【０００２】
本発明は、電磁式燃料噴射器の立ち上がり時間を決定する方法に関する。
【背景技術】
【０００３】
（例えば特許文献１（欧州特許出願公開第１６１９３８４号明細書）に記述された様な）電磁式燃料噴射器は、燃料導管の機能を実施する中央送給チャネルであって、電磁式アクチュエータにより操作される噴射バルブにより制御される噴射ノズルにて終端する、中央送給チャネルを有する円筒状の管状本体を備えて成る。前記噴射バルブは、当該プランジャを閉じ位置に向けて押圧する閉じスプリングの作用に抗して電磁式アクチュエータの動作により該噴射ノズルの閉じ位置と開き位置との間で移動されるべく前記電磁式アクチュエータの可動電機子に対して堅固に接続されたプランジャを備えている。バルブ・シートは、ディスクの形状を有するシール要素であって、下側にて支持本体の中央チャネルをシールし、且つ、前記噴射ノズルにより交差される、シール要素内に画成される。前記電磁式アクチュエータは、前記管状本体の回りの外側面上に配置されたコイルと、強磁性体により作成されると共に、前記可動電機子を磁気的に引き付けるために前記管状本体の内側に配置された固定磁極とを備えて成る。
【０００４】
前記噴射バルブは通常は、前記プランジャが該噴射バルブのバルブ・シートに当接して押圧すると共に前記可動電機子は前記固定磁極から離間されている、閉じ位置まで、前記プランジャを押圧する前記閉じスプリングに依り、閉じられる。前記噴射バルブを開くために、すなわち、前記プランジャを閉じ位置から開き位置まで移動させるために、前記電磁式アクチュエータの前記コイルは、前記閉じスプリングにより及ぼされる弾性力に抗して前記可動電機子を前記固定磁極に向けて引き付ける磁界を生成すべく励起され、開き段階において、前記可動電機子の進行は、該可動電機子が前記固定磁極に衝当したときに停止する。
【０００５】
図３に依れば、電磁式噴射器の噴射の法則（すなわち、噴射時間ＴＩＮＪ又は制御時間を噴射済み燃料量Ｑに対して関連付ける法則であって、噴射時間ＴＩＮＪ−噴射済み燃料量Ｑ曲線により表される法則）は、３つの領域へと分割され得る、噴射時間ＴＩＮＪが短すぎることから、電磁石のコイルに対して供与されるエネルギは閉じスプリングの力を克服するに十分でなく、且つ、プランジャは依然として噴射ノズルの閉じ位置に留まる、開き無しの初期領域Ａ、プランジャは、噴射ノズルの閉じ位置から（プランジャと一体的である可動電機子が固定磁極に当接して衝突する）完全開き位置に向けて移動するが、完全開き位置には到達し得ないことから、完全開き位置に到達する前に閉じ位置へと戻る、瞬発領域Ｂ、及び、プランジャが、噴射ノズルの閉じ位置から完全開き位置まで移動し、それが所定の時間長に亙り維持される線形領域Ｃ。
【０００６】
電磁式噴射器の立ち上がり時間は、電磁式アクチュエータの励起が開始する時点と、噴射バルブが実際に開き動作を開始する時点との間に経過する時間であり、（図３に示された）噴射の法則において、立ち上がり時間ＴＯは、開き無しの初期領域Ａと瞬発動作領域Ｂとの間の境界を確立し、実際、噴射（制御）時間ＴＩＮＪが立ち上がり時間ＴＯよりも短いならば噴射バルブは開かないので、状態は開き無しの初期領域Ａに在るが、噴射（制御）時間が立ち上がり時間ＴＯより長ければ、噴射バルブは開くことから、状態は瞬発動作領域Ｂに在る（又は、噴射時間ＴＩＮＪが十分に長いなら、状態は線形領域Ｃに在る）。
【０００７】
電磁式噴射器の立ち上がり時間を正確に知れば、噴射の法則がより良く知られることから、（特に、少量の燃料が噴射されるべきことから、電磁式噴射器が瞬発動作領域Ｂにおいて動作すべきときに）更に正確な燃料噴射動作が許容される。
【０００８】
特許文献１（国際公開第２０１６／０９１８４８号）は、電磁式燃料噴射器の立ち上がり時間を決定する方法を開示しており、電磁式燃料噴射器は、電磁式アクチュエータの一連の漸進的に増大する励起時間を用いて制御され、前記電磁式燃料噴射器の制御毎に、前記噴射バルブの閉じ動作の存在もしくは不在が検出され、前記噴射バルブの閉じ動作の不在が決定された前記電磁式アクチュエータの最後の励起時間と、前記噴射バルブの閉じ動作の存在が決定された前記電磁式アクチュエータの最初の励起時間との間における中間値に等しい立ち上がり時間が識別される。
【先行技術文献】
【特許文献】
【０００９】
【特許文献１】国際公開第２０１６／０９１８４８号
【発明の概要】
【発明が解決しようとする課題】
【００１０】
本発明の目的は、電磁式燃料噴射器の立ち上がり時間を決定する方法であって、高精度を以て立ち上がり時間を決定し得ると共に、特に、実施が容易で安価である方法を提供することである。
【課題を解決するための手段】
【００１１】
本発明に依れば、添付の各請求項に係る、電磁式燃料噴射器の立ち上がり時間を決定する方法が提供される。
【００１２】
添付の各請求項は、本発明の好適実施例を記述すると共に、説明の一体的な部分を構成する。
【００１３】
本発明は次に、その非限定的な実施例を示す添付図面に関して記述される。
【図面の簡単な説明】
【００１４】
【図１】本発明に係る方法を実現する共通経路式噴射システムの概略図である。
【図２】図１の噴射システムの電磁式燃料噴射器の概略的な側断面図である。
【図３】図１の噴射システムの電磁式燃料噴射器の噴射特性を示すグラフである。
【図４】瞬発的動作領域において燃料を噴射すべく制御される、図１の噴射システムの電磁式燃料噴射器の幾つかの物理量の経時的な進展を示すグラフである。
【図５】燃料の噴射が回避される如き短時間に対して制御される、図１の噴射システムの電磁式燃料噴射器の幾つかの物理量の経時的な進展を示すグラフである。
【図６】図１の噴射システムの電磁式燃料噴射器のコイルの各端部における電圧、対応する基準電圧、及び、それらの差に関する、経時的な進展を示すグラフである。
【図７】コイルの各端部における電圧と、基準電圧との間の差の一次時間微分値の経時的な進展を示すグラフである。
【発明を実施するための形態】
【００１５】
図１において、番号１は、全体として、４つのシリンダ３を備えた内燃エンジン２における燃料の直接噴射のための共通経路式噴射システムを表している。噴射システム１は、各々が、エンジン２の夫々のシリンダ３内へと燃料を直接的に噴射すると共に、共通経路５から圧力下の燃料を受容する４つの電磁式燃料噴射器４を備えて成る。噴射システム１は、共通経路５に対して燃料を送給する高圧ポンプ６であって、機械的変速機によりエンジン２の駆動シャフトにより、該駆動シャフトの回転速度に正比例する起動の周波数を以て直接的に動作される高圧ポンプ６を備えて成る。一方、高圧ポンプ６は、燃料タンク８の内側に配置された低圧ポンプ７により給油される。各電磁式噴射器４は、電子制御ユニット９の制御下で、対応するシリンダ３内へと可変量の燃料を噴射する。
【００１６】
図２に依れば、各電磁式燃料噴射器４は、実質的に、長手軸線１０の回りにおける円筒対称性を有すると共に、噴射ノズル１１から燃料を噴射すべく制御される。電磁式噴射器４は、長手軸線１０に沿う可変的な断面積を備える円筒状の管状形状を有する支持本体１２であって、圧力下の燃料を噴射ノズル１１に対して送給すべく該支持本体１２の全長に沿い延在する送給チャネル１３を備えて成る支持本体１２を備えて成る。支持本体１２は、その上部の領域においては、電磁式アクチュエータ１４を、且つ、その下部の領域においては、底部にて送給チャネル１３を境界決定する噴射バルブ１５を支持し、使用に際し、噴射バルブ１５は、該噴射バルブ１５の領域において獲得される噴射ノズル１１を通る燃料の流れを調節するために電磁式アクチュエータ１４により作動される。
【００１７】
電磁式アクチュエータ１４は、管状本体１２の回りの外側面上に配置されたコイル１６であって、プラスチック材料で作成された円環状ケーシング１７内に囲繞されたコイル１６と、強磁性体で作成されると共に、コイル１６の領域において管状本体１２の内側に配置された固定磁極１８とを備えて成る。更に、電磁式アクチュエータ１５は、円筒形状を有すると共に強磁性体で作成された可動電機子１９であって、コイル１６が励起された（すなわち、それを通して電流が流れた）ときに磁極１８により磁気的に引き付けられるべく設計された可動電機子１９を備えて成る。最後に、電磁式アクチュエータ１５は、強磁性体で作成されると共に管状本体１２の外側面上に配置された管状の磁的電機子２０であって、内側にてコイル１６を収容する環状台座２１と、強磁性体で作成された環状形状の磁的ワッシャ２２であって、コイル１６の上方に配置されて該コイル１６の回りの磁束の完結を案内する磁的ワッシャ２２とを備えて成る管状の磁的電機子２０を備えて成る。
【００１８】
可動電機子１９は、可動機器の一部であり、これは更に、噴射ノズル１１に向かう燃料の流れを公知様式で調節するために、該可動電機子１９と一体的な上部と、噴射バルブ１５のバルブ・シート２４と協働する下部とを有するシャッタもしくはプランジャ２３を備えて成る。特に、プランジャ２３は、バルブ・シートに当接してシール様式で着座すべく設計された実質的に球体形状を備えた閉塞ヘッドにて終端する。
【００１９】
磁極１８は、中央にて穿孔されると共に、該磁極は、可動電機子１９を噴射バルブ１５の閉じ位置に向けて押圧する閉じスプリング２６を部分的に収容する中央貫通孔２５を有する。特に、磁極１８の中央孔２５の内側には、固定位置にて、閉じスプリング２６を可動電機子１９に対して圧縮して維持する衝当要素２７が嵌装される。
【００２０】
使用に際し、電磁式アクチュエータ１４が励起解除されたとき、可動電機子１９は磁極１８により引き付けられず、且つ、閉じスプリング２６の弾性力は、プランジャ２３と一体的な可動電機子１９（すなわち可動機器）を、プランジャ２３の閉塞ヘッドが噴射バルブ１５のバルブ・シート２４に当接して押圧されることで、噴射ノズル１１を圧力下の燃料から遮断する下限位置まで、下方に押圧する。電磁式アクチュエータ１４が励起されたとき、可動電機子１９は、閉じスプリング２６の弾性力に抗して磁極１８により磁気的に引き付けられ、且つ、プランジャ２３と一体的な可動電機子１９（すなわち可動機器）は、磁極１８により及ぼされる磁的吸引力に依り、該可動電機子１９が磁極１８に当接して衝当すると共に、プランジャ２３の閉塞ヘッドは噴射バルブ１５のバルブ・シート２４に対して揚動されることで、圧力下の燃料が噴射ノズル１１を通り流れることを許容する、上限位置まで移動する。
【００２１】
図２に依れば、各電磁式燃料噴射器４の電磁式アクチュエータ１４のコイル１６は電子制御ユニット９により動力供給され、該ユニットは、コイル１６の端子１００及び１０１（すなわち各端部）に対し、時間的に可変である電圧Ｖであって、コイル１６を通る時間的に可変である電流ｉの流れを決定する電圧Ｖを印加する。コイル１６の端子１００は高電圧端子であると共に、電子制御ユニット９の少なくとも一つの第１制御トランジスタを通して電源電圧に対して接続され得る一方、コイル１６の端子１０１は低電圧端子であると共に、電子制御ユニット９の少なくとも一つの第２制御トランジスタを通して電気的アースに対して接続され得る。
【００２２】
図３に依れば、各電磁式燃料噴射器４の噴射の法則（すなわち、噴射時間ＴＩＮＪ又は制御時間を噴射済み燃料量Ｑに対して関連付ける法則であって、噴射時間ＴＩＮＪ−噴射済み燃料量Ｑ曲線により表される法則）は、３つの領域へと分割され得る、噴射時間ＴＩＮＪが短すぎることから、電磁式アクチュエータ１４のコイル１６に対して供与されるエネルギは、閉じスプリング２６の力を克服するに十分でない力を生成し、且つ、プランジャ２３は依然として噴射バルブ１５の閉じ位置に留まる、開き無しの初期領域Ａ、プランジャ２３は、噴射バルブ１５の閉じ位置から（プランジャ２３と一体的である可動電機子１９が固定磁極１８に当接して衝突する）完全開き位置に向けて移動するが、完全開き位置には到達し得ないことから、完全開き位置に到達する前に閉じ位置へと戻る、瞬発領域Ｂ、及び、プランジャ２３が、噴射バルブ１５の閉じ位置から完全開き位置まで移動し、それが所定の時間長に亙り維持される線形領域Ｃ。
【００２３】
図４のグラフは、瞬発動作領域Ｂにおいて燃料を噴射すべく制御される電磁式燃料噴射器４の幾つかの物理量の経時的な進展を示している。換言すると、噴射時間ＴＩＮＪは（燃料の圧力と、噴射器の形式とに依存して、約０.１５〜０.３０ｍｓまで）短縮されることから、電磁式アクチュエータ１４により生成される電磁的吸引力の故に、プランジャ２３は（可動電機子１９と一体的に）噴射バルブ１５の閉じ位置から、（プランジャ２３と一体的である可動電機子１９が固定磁極１８に当接して衝当する）完全開き位置に向けて移動するが、これは到達されない、と言うのも、プランジャ２３が（可動電機子１９と一体的に）噴射バルブ１５の完全開き位置に到達し得る前に電磁式アクチュエータ１４は電源切断されるからであり、結果として、プランジャ２３が依然として“飛翔中”であり（すなわち、噴射バルブ１５の閉じ位置と完全開き位置との間の中間位置に在り）、且つ、完全開き位置に向けて移動しつつあるとき、電磁式アクチュエータ１４は電源切断され、且つ、閉じスプリング２６により生成されるスラストは、噴射バルブ１５の完全開き位置に向かうプランジャ２３の移動を中断することから、プランジャ２３は、該プランジャ２３が噴射バルブ１５の最初の閉じ位置に到達するまで、逆方向に移動される。
【００２４】
図４に依ると、電磁式噴射器４の論理制御命令Ｃは、時点ｔ１における電磁式アクチュエータ１４の起動（励起）（ＯＦＦ状態からＯＮ状態への論理制御命令Ｃのシフト）、及び、時点ｔ３における電磁式アクチュエータ１４の起動解除（励起解除）（ＯＮ状態からＯＦＦ状態への論理制御命令のシフト）を伴う。噴射時間ＴＩＮＪは、時点ｔ１及びｔ３の間に経過する時的間隔に等しく、且つ、短いことから、電磁式燃料噴射器４は瞬発動作領域Ｂにおいて動作する。
【００２５】
時点ｔ１において、電磁式アクチュエータ１４のコイル１６は励起されることから、該コイルは、閉じスプリング２６の力に対抗する駆動力を生成し始め、電磁式アクチュエータ１４のコイル１６により生成される駆動力が閉じスプリング２６の力を超過したとき、すなわち、時点ｔ２において、（可動電機子１９と一体的である）プランジャ２３の位置pは、（図４において“閉じ”と表された）噴射バルブ１５の閉じ位置から（図４において“開き”と表された）噴射バルブ１５の完全開き位置まで変化し始め、換言すると、噴射バルブ１５は、時点ｔ２において開き始めると共に、時点ｔ１及びｔ２の間で経過する時間は、立ち上がり時間（Ｏｐｅｎｉｎｇ  ｔｉｍｅ）ＴＯ（すなわち、電磁式アクチュエータ１４の励起が開始する時点ｔ１と、噴射バルブ１５が実際に開き始める時点ｔ２との間に経過する時間）を規定する。（図３に示された）噴射の法則において、立ち上がり時間ＴＯは、開き無しの初期領域Ａと瞬発動作領域Ｂとの間の境界を確立し、実際、噴射時間ＴＩＮＪが立ち上がり時間ＴＯより短ければ、噴射バルブ１５は開かないので、状態は開き無しの初期領域Ａに在るが、噴射時間ＴＩＮＪが立ち上がり時間ＴＯより長ければ、噴射バルブ１５は開くことから、状態は瞬発動作領域Ｂに在る（又は、噴射時間ＴＩＮＪが十分に長いなら、状態は線形領域Ｃに在る）。
【００２６】
時点ｔ３において、プランジャ２３の位置pは依然として噴射バルブ１５の完全開き位置に到達しておらず、且つ、電磁式噴射器４の論理制御命令Ｃの終了の故に、それは噴射バルブ１５の閉じ位置へと戻り、該位置は時点ｔ５（すなわち、プランジャ２３の閉塞ヘッドが噴射バルブ１５のバルブ・シートに当接してシール様式で着座する瞬間）において到達される。時点ｔ５（すなわち、噴射バルブ１５が閉じられる瞬間）の前に、コイル１６を通り流れる電流ｉが打ち消され（すなわちゼロ値に到達し）、且つ、コイル１６の各端部に対して印加される電圧ｖが（絶対値で）減少し始めてゼロ値に向けて移動する、時点ｔ４が識別される。閉じ時間ＴＣは、時点ｔ３及びｔ５の間に経過する時的間隔、すなわち、電磁式噴射器４の論理制御命令Ｃの終了と電磁式噴射器４の閉じ動作との間に経過する時的間隔である。閉じ時間ＴＣはまた、時点ｔ３及びｔ４の間に含まれるゼロ化時間ＴＺであって、コイル１６を通り流れる電流ｉが依然として存在する（故に、電磁式アクチュエータ１４は依然として、可動電機子１９に対する磁的吸引力を生成する）ゼロ化時間ＴＺと、時点ｔ４及びｔ５の間に含まれる飛翔時間ＴＦであって、コイル１６を通り流れる電流ｉがゼロに等しいが故に、閉じスプリング２６により生成された弾性力のみが可動電機子１９に対して作用する飛翔時間ＴＦと、の合計とも等しい。
【００２７】
時点ｔ１において、電磁式噴射器４の電磁式アクチュエータ１４のコイル１６の各端部に対して印加される電圧ｖは、それが、コイル１６を通り流れる電流ｉを迅速に増大させる目的に資する正の電源投入ピークに到達するまで増大され、電源投入ピークの最後にて、コイル１６の各端部に対して印加される電圧ｖは、電流ｉを所望の維持値に維持するために電圧ｖを正の値とゼロ値との間で循環的に変化させる段階を伴う“チョッパ”技術に従って制御される（簡潔さのために、電圧ｖの循環的変化は図４において示されない）。時点ｔ３において、コイル１６の各端部に対して印加される電圧ｖは、それが、コイル１６を通り流れる電流ｉを迅速に打ち消す目的に資する負の電源切断ピークに到達するまで、迅速に減少される。時点ｔ４において、電流ｉがゼロ値に一旦到達したなら、残留する電圧ｖは、それが打ち消されるまで指数様式で減少し、電圧ｖの打ち消し段階の間において、電磁式噴射器４は（プランジャ２３が噴射バルブ１５の閉じ位置に到達する時点ｔ４において）閉じ、実際、プランジャ２３は、閉じスプリング２６の力が、電磁式アクチュエータ１４により生成された電磁的吸引力であって、電流ｉに比例する（すなわち、電流ｉがゼロ値に到達したときにゼロに等しくなる）電磁的吸引力を超過したときにのみ、噴射バルブ１５の閉じ位置に向けた閉じ行程を開始する。
【００２８】
図５のグラフは、噴射バルブ１５の開き動作に到達し得ないほど短い（一方で、噴射動作の開始時点ｔ１と噴射動作の終了時点ｔ３との間に経過する時的間隔に等しい）噴射時間ＴＩＮＪ（すなわち、開き無しの初期領域Ａに属すると共に、立ち上がり時間ＴＯよりも短い噴射時間ＴＩＮＪ）により制御される電磁式燃料噴射器４の幾つかの物理量の経時的な進展を示している。換言すると、噴射時間ＴＩＮＪは、立ち上がり時間ＴＯよりも短いことから、該噴射時間は、電磁式アクチュエータ１４により（可動電機子１９と一体的な）プランジャ２３に対して生成される電磁的吸引力が、閉じスプリング２６により生成される弾性力よりも常に小さいままであるほど、短い（約０.０５〜０.１５ｍｓ）。
【００２９】
図５に依れば、電磁式噴射器４の論理制御命令Ｃは、時点ｔ１における電磁式アクチュエータ１４の起動（励起）（ＯＦＦ状態からＯＮ状態への論理制御命令Ｃのシフト）、及び、時点ｔ３における電磁式アクチュエータ１４の起動解除（励起解除）（ＯＮ状態からＯＦＦ状態への論理制御命令のシフト）を伴う。噴射時間ＴＩＮＪは、時点ｔ１及びｔ３の間に経過する時的間隔に等しく、且つ、短いことから、電磁式燃料噴射器４は、開き無しの初期領域Ａにおいて動作する。
【００３０】
時点ｔ１において、電磁式アクチュエータ１４のコイル１６は、励起されることから、閉じスプリング２６の力に対抗する駆動力を生成し始めるが、電磁式アクチュエータ１４により生成される駆動力は、閉じスプリング２６により生成される弾性力を克服（超過）するようには決して作用しないので、（可動電機子１９と一体的である）プランジャ２３は（図５において“閉じ”と表された）噴射バルブ１５の閉じ位置から決して移動しない。時点ｔ４において、コイル１６を通り流れる電流ｉは打ち消され（すなわち、ゼロ値に到達し）、且つ、コイル１６の各端部に対して印加される電圧ｖは（絶対値で）減少し始め、ゼロ値に接近する。時点ｔ４において電流ｉがゼロ値に一旦到達したなら、残留電圧ｖは、それが打ち消されるまで、指数様式で減少する。
【００３１】
本明細書で以下においては、電磁式燃料噴射器４の閉じ時点ｔ５を決定するために（すなわち、時点ｔ３及びｔ５の間に経過する時的間隔、すなわち、電磁式噴射器４の論理制御命令Ｃの終了と電磁式噴射器４の閉じ動作との間に経過する時的間隔に対応する、閉じ時間ＴＣを決定するために）電子制御ユニット９により使用される手順が記述される。
【００３２】
図４を考察するときに既に上述された如く、噴射動作の開始時点ｔ１において、電子制御ユニット９は、電磁式アクチュエータ１４のコイル１６に対し、該コイル１６を通り、噴射バルブ１５の開き動作を決定する起動電流ｉを流すために、正電圧ｖを印加し、且つ、噴射動作の終了時点ｔ３において、電子制御ユニット９は、電磁式アクチュエータ１４のコイル１６に対して負電圧ｖを印加して（時点ｔ４において）コイル１６を通り流れる起動電流ｉを打ち消す。
【００３３】
噴射動作の終了時に（すなわち、噴射動作の終了時点ｔ３の後）、コイル１６を通り流れる起動電流ｉの打ち消しの後（すなわち、時点ｔ４の後）で、電圧ｖの打ち消しまで、電子制御ユニット９は、電磁式アクチュエータ１４のコイル１６の少なくとも一方の端部（すなわち、一方の端子１００又は１０１）にて（図６に示された）起動用の時間的な電圧進展ｖ１を検出（測定）する。引き続き、電子制御ユニット９は、起動用の時間的な電圧進展ｖ１を、以下に記述された手法で予め決定された比較用の時間的な電圧進展ｖ２と比較する。最後に、電子制御ユニット９は、起動用の時間的な電圧進展ｖ１と比較用の時間的な電圧進展ｖ２との間の比較に基づき、電磁式燃料噴射器４の閉じ時点ｔ５を決定する。
【００３４】
比較用の時間的な電圧進展ｖ２を決定するために、電子制御ユニット９は、予め、すなわち、電磁式噴射器４の閉じ時点ｔ５を決定する前に、電磁式噴射器４に関する試験であって、図５に示された如く、噴射バルブ１５の開き動作に到達し得ないほど短い（一方で、噴射動作の開始時点ｔ１と噴射動作の終了時点ｔ３との間に経過する時的間隔に等しい）噴射時間ＴＩＮＪ（すなわち、開き無しの初期領域Ａに属すると共に、立ち上がり時間ＴＯよりも短い噴射時間ＴＩＮＪ）により制御される試験を実施する。換言すると、電子制御ユニット９は、試験の開始時点ｔ１において、噴射バルブ１５の開き動作を決定しない試験電流ｉをコイル１６を通して流すために電磁式アクチュエータ１４のコイル１６に対して正電圧ｖを印加し、且つ、電子制御ユニット９は、試験の終了時点ｔ３において、噴射バルブ１５の開き動作を決定せずに、コイル１６を通り流れる試験電流ｉを打ち消すために電磁式アクチュエータ１４のコイル１６に対して負電圧ｖを印加する。最後に、電子制御ユニット９は、噴射バルブ１５の開き動作を決定せずに、コイル１６を通り流れる試験電流ｉの打ち消しの後で、電磁式アクチュエータ１４のコイル１６の少なくとも一方の端部（すなわち、一方の端子１００又は１０１）において（図６に示された）比較用の時間的な電圧進展ｖ２を検出（測定）し、換言すると、電子制御ユニット９は、噴射バルブ１５の開き動作を決定せずに、コイル１６を通り流れる試験電流ｉの打ち消しの後で、比較用の時間的な電圧進展ｖ２を識別する。
【００３５】
可能的であるが非限定的な実施例に依れば、電子制御ユニット９は、電磁式アクチュエータ１４のコイル１６の少なくとも一方の端部（すなわち、一方の端子１００又は１０１）における電圧ｖの測定に作用するハードウェア式のアンチエイリアス・フィルタ（すなわち、デジタル化の前のアナログ信号に作用するアンチエイリアス・フィルタ）を備えている。前記アンチエイリアス・フィルタは、Ｎｙｑｕｉｓｔ−Ｓｈａｎｎｏｎサンプリング理論を略々満足するために電圧ｖの信号の帯域を狭めるべく該信号のサンプリングの前に使用されるアナログ信号である。
【００３６】
プランジャ２３の閉塞ヘッドが噴射バルブ１５のバルブ・シートに衝当したとき（すなわち、電磁式噴射器４が閉じたとき）、プランジャ２３と一体的である可動電機子１９は、その運動の法則を非常に迅速に変化させる（すなわち、それは殆ど瞬間的に、比較的に高速からゼロ速度まで移行すると共に、必要であれば、それは速度方向を反転させる小さな反跳さえも行い得る）と共に、可動電機子１９の運動の法則におけるこの基本的に瞬間的な変化は、コイル１６に対して関連付けられた磁界における摂動を引き起こすことから、コイル１６の各端部における電圧ｖの摂動も決定する。
【００３７】
結果として、プランジャ２３の移動の終了時における噴射バルブ１５の閉じ動作を伴う起動用の時間的な電圧進展ｖ１と、プランジャ２３が移動しないので噴射バルブ１５の閉じ動作を伴わない比較用の時間的な電圧進展ｖ２との間には、（検出可能な）差が在り、この差は、プランジャ２３の移動の終了時における噴射バルブ１５の閉じ動作を伴う起動用の時間的な電圧進展ｖ１においては、噴射バルブ１５のバルブ・シートに当接するプランジャ２３の衝当に起因する摂動が在るが、プランジャ２３が移動しないので噴射バルブ１５の閉じ動作を伴わない比較用の時間的な電圧進展ｖ２においては、噴射バルブ１５のバルブ・シートに当接するプランジャ２３の衝当に起因する摂動は無い、という事実に起因する。プランジャ２３の移動の終了時に噴射バルブ１５の閉じ動作を伴う起動用の時間的な電圧進展ｖ１と、プランジャ２３が移動しないので噴射バルブ１５の閉じ動作を伴わない比較用の時間的な電圧進展ｖ２との間の比較において、（噴射バルブ１５のバルブ・シートに当接するプランジャ２３の衝当に起因する）この摂動を調べることにより、電磁式噴射器４の閉じ時点ｔ５を決定することが可能である。
【００３８】
好適実施例に依れば、電子制御ユニット９は、時間的様式で、コイル１６を通り流れる起動電流ｉが打ち消される第１時点ｔ４を、コイル１６を通り流れる試験電流ｉが打ち消される第２時点ｔ４に整列させることにより、起動用の時間的な電圧進展ｖ１を比較用の時間的な電圧進展ｖ２と同期させる。
【００３９】
好適実施例に依れば、電子制御ユニット９は、起動用の時間的な電圧進展ｖ１と比較用の時間的な電圧進展ｖ２との間の（図６に示された）電圧差Δｖを（単純な減算により）算出し、且つ、該電圧差Δｖに基づいて電磁式噴射器４の閉じ時点ｔ５を決定する。電子制御ユニット９は、必須ではないが、好適には、高周波ノイズを除去するために、電圧差Δｖに対し、低域通過フィルタ、特に、動窓型フィルタを適用する。
【００４０】
好適実施例に依れば、電子制御ユニット９は、（図７に示された）電圧差Δｖの一次時間微分値ｄΔｖ/ｄｔを算出することから、電圧差Δｖの一次時間微分値ｄΔｖ/ｄｔに基づいて電磁式噴射器４の閉じ時点ｔ５を決定する。特に、電子制御ユニット９は、電圧差Δｖの一次時間微分値ｄΔｖ/ｄｔの絶対最小値を決定すると共に、（図７に示された如く）電圧差Δｖの一次時間微分値ｄΔｖ/ｄｔの絶対最小値の領域において、電磁式噴射器４の閉じ時点ｔ５を識別する。
【００４１】
可能的であるが非限定的な実施例に依れば、上述された如く決定された閉じ時点ｔ５においては、電圧ｖが委ねられる全てのフィルタにより導入された位相遅延を補償する所定の時間前進が適用され、換言すると、上述された如く決定された閉じ時点ｔ５は、コイル１６の各端部における電圧ｖが委ねられる全てのフィルタにより導入された位相遅延を考慮するために、所定の時的間隔だけ前進される。
【００４２】
電子制御ユニット９は、電圧差Δｖが絶対値にて第１閾値を超過したときにのみ、電磁式噴射器４の閉じ動作の存在を認識し、且つ／又は、電圧差Δｖの一次時間微分値ｄΔｖ/ｄｔが絶対値にて第２閾値を超過したときにのみ、電磁式噴射器４の閉じ動作の存在を認識する。換言すると、電子制御ユニット９は、電圧差Δｖが絶対値にて前記第１閾値より小さいとき、且つ／又は、電圧差Δｖの一次時間微分値ｄΔｖ/ｄｔが絶対値にて前記第２閾値より小さいときにのみ、電磁式噴射器４の閉じ動作の不在を認識する。故に、電圧差Δｖ、及び／又は、電圧差Δｖの一次時間微分値ｄΔｖ/ｄｔが（絶対値で）小さすぎるならば、電子制御ユニット９は、起動用の時間的な電圧進展ｖ１は、比較用の時間的な電圧進展ｖ２と完全に同様であることから、電磁式噴射器４の閉じ動作は無かった（すなわち、電磁式噴射器４の閉じ動作は不在であった）ことを確立する。
【００４３】
可能的な実施例に依れば、比較用の時間的な電圧進展ｖ２を検出する試験は、各燃料噴射動作の直前に実施されることから、比較用の時間的な電圧進展ｖ２は、直後に生じる単一回の対応する噴射動作に関する電磁式噴射器４の閉じ時点ｔ５を決定すべく使用される。換言すると、各燃料噴射動作に対し、特定の比較用の時間的な電圧進展ｖ２が（即座に）決定されてから、その直後に、燃料噴射が実施されると共に、前記特定の比較用の時間的な電圧進展ｖ２は、閉じ時点ｔ５を決定すべく使用される。
【００４４】
代替実施例に依れば、比較用の時間的な電圧進展ｖ２を検出する試験は、その都度、実施されることから、一つの比較用の時間的な電圧進展ｖ２は、異なる複数回の噴射動作に関する電磁式燃料噴射器４の閉じ時点ｔ５を決定すべく使用される。換言すると、一つの比較用の時間的な電圧進展ｖ２は、異なる瞬間に生ずる異なる複数回の噴射動作に対して適用される（使用され得る）。この場合、共通経路５における燃料の圧力の変動時には、種々の比較用の時間的な電圧進展ｖ２が記憶され得る。更に、異なる比較用の時間的な電圧進展ｖ２が検出されてから、統計的に処理されると共に、定期的に更新される。
【００４５】
可能的実施例に依れば、電圧ｖは、第１及び第２の時間的な電圧進展ｖ１及びｖ２が検出されるときに、コイル１６の２つの端子１００及び１０１間にて電子制御ユニット９により測定されるが、この解決策は差分的測定を伴い、これは更に複雑である、と言うのも、それは、コイル１６の２つの端子１００及び１０１に対して接続された２つの別個の電圧センサの使用を必要とするからである。代替的に、電圧ｖは、時間的な電圧進展ｖ１及びｖ２が検出されるときに、コイル１６の低電圧端子１０１と電気的アースとの間で電子制御ユニット９により測定され、この解決策は更に容易である、と言うのも、それは、コイル１６の低電圧端子１０１に対して接続された一つの単一の電圧センサを伴うからである。
【００４６】
内燃エンジン１の通常動作の間、電子制御ユニット９は、対応する閉じ時間ＴＣが知られるべき噴射時間ＴＩＮＪの値を決定する。概略的に、短期においては、対応する閉じ時間ＴＣが知られるべき噴射時間ＴＩＮＪを以て電磁式噴射器４が厳密に制御されるべきことがエンジン制御において必要とされる可能性は低く、結果として、電子制御ユニット９は、いずれの場合にも、対応する閉じ時間ＴＣが知られるべき噴射時間ＴＩＮＪを有する（少なくとも）一回の噴射動作が実施されることを確かにする状況を“強制”する。特に、電子制御ユニット９は、内燃エンジン２に対して生成されるべき回転速度目標及びトルク目標を確立してから、生成されるべき回転速度目標及びトルク目標に基づき、噴射されるべき燃料の合計量Ｑを決定し、引き続き、電子制御ユニット９は、対応する閉じ時間ＴＣが決定されるべき第１噴射時間ＴＩＮＪ１を用いて電磁式燃料噴射器４を制御し、且つ、第１噴射時間ＴＩＮＪ１を用いて、実際に噴射された第１の部分的燃料量Ｑ１を決定する。この時点において、電子制御ユニット９は、合計燃料量Ｑと第１の部分的燃料量Ｑ１との間の差に等しい第２の部分的燃料量Ｑ２を決定し、且つ、第２の部分的燃料量Ｑ２を厳密に噴射するために第２の部分的燃料量Ｑ２に基づいて第２噴射時間ＴＩＮＪ２を決定し、最後に、電子制御ユニット９は、第２噴射時間ＴＩＮＪ２を用いて電磁式燃料噴射器４を制御する。
【００４７】
電子制御ユニット９は、合計燃料量Ｑと第１の部分的燃料量Ｑ１との間の差が、所定の閾値を超過する（すなわち、容認可能な精度を以て第２の部分的燃料量Ｑ２が噴射されることを許容するに十分なほど大きい）様に、第１噴射時間ＴＩＮＪ１を選択する。
【００４８】
電磁式噴射器４の閉じ時点ｔ５を決定する上述の方法は、電磁式噴射器４の任意の動作条件において適用されること、すなわち、噴射動作の終了時点ｔ３においてプランジャ２３は噴射バルブ１５の完全開き位置に依然として到達していない瞬発領域Ｂにおいて電磁式噴射器４が動作するとき、及び、噴射動作の終了時点ｔ３においてプランジャ２３は噴射バルブ１５の完全開き位置に到達している線形領域Ｃにおいて電磁式噴射器４が動作するときの両方において適用されることが指摘されねばならない。但し、電磁式噴射器４の噴射特性が非常に非線形的であり且つばらついている瞬発領域Ｂにおいて電磁式噴射器４が動作しているときには、電磁式噴射器４の閉じ時点ｔ５を知ることは特に有用であるが、電磁式噴射器４の噴射特性が線形であり且つそれほどばらついていない線形領域Ｃにおいて電磁式噴射器４が動作しているときには、そのことは概略的にそれほど有用でない。
【００４９】
本明細書で以下においては、電磁式燃料噴射器４の立ち上がり時間ＴＯを決定すべく電子制御ユニット９により使用される手順が記述される。
【００５０】
電子制御ユニット９は、電磁式アクチュエータ１４の一連の漸進的に増大する励起時間ＴＩＮＪを用いて電磁式燃料噴射器４を制御すると共に、上述された手順に従い、電磁式噴射器４の制御毎に、噴射バルブ１５の閉じ動作の存在もしくは不在（すなわち、噴射バルブ１５が実際に開いたか、開かなかったか）を決定し、最後に、電子制御ユニット９は、噴射バルブ１５の閉じ動作の不在が決定された電磁式アクチュエータ１４の最後の励起時間ＴＩＮＪと、噴射バルブ１５の閉じ動作の存在が決定された電磁式アクチュエータ１４の最初の励起時間ＴＩＮＪとの間における中間値に等しい立ち上がり時間ＴＯを識別する。
【００５１】
好適実施例に依れば、制御ユニット９は、（例えば、名目値に等しく、又は、最後の、前回に見積もられた値に等しい）立ち上がり時間ＴＯの期待値を確立すると共に、電磁式アクチュエータ１４の一連の漸進的に増大する励起時間ＴＩＮＪを、立ち上がり時間ＴＯの前記期待値に中心合わせする。
【００５２】
好適実施例に依れば、電子制御ユニット９は、噴射バルブ１５の閉じ動作の存在又は不在を決定する上で時間分解能を確立し、その後、噴射バルブ１５の閉じ動作の存在又は不在を決定する上で、電磁式アクチュエータ１４の一連の漸進的に増大する励起時間ＴＩＮＪにおける該電磁式アクチュエータ１４の各励起時間ＴＩＮＪを、前記時間分解能に等しい増大分を以て増大する。測定を実行する上で、前記物理量の小さな変動を検出する機能（すなわち、噴射バルブ１５の開き動作が生じたか生じなかったかを検出する機能）が吟味される。
【００５３】
好適実施例に依れば、電磁式噴射器４の制御の間における噴射バルブ１５の閉じ動作の存在又は不在（すなわち、噴射バルブ１５が実際に開いたか、又は、開かなかったか）は、上述された如く（すなわち、電圧差Δｖ、及び／又は、電圧差Δｖの一次時間微分値ｄΔｖ/ｄｔを解析することにより）決定され、異なる実施例に依れば、電磁式噴射器４の制御の間における噴射バルブ１５の閉じ動作の存在又は不在（すなわち、噴射バルブ１５が実際に開いたか、又は、開かなかったか）は、上述されたのとは異なる手順により決定され得る。
【００５４】
この故に、本明細書中に記述された各実施例は、発明の保護の範囲を越えることなく、相互に組み合わされ得る。
【００５５】
電磁式燃料噴射器４の閉じ時点を決定する上述の方法は、多くの利点を有している。
【００５６】
第１に、電磁式燃料噴射器４の閉じ時点を決定する上述の方法は、電磁式噴射器４の実際の閉じ時点が高精度で識別されることを許容する。この結果は、噴射バルブ１５の閉じ動作の瞬間における電磁式噴射器４の“挙動”（すなわち、起動用の時間的な電圧進展ｖ１）が、“それ自体”と比較され、すなわち、噴射バルブ１５の開き動作（及び、故に、閉じ動作）が不在であるまさに同一の条件におけるまさに同一の電磁式噴射器４の“挙動”（すなわち比較用の時間的な電圧進展ｖ２）と比較される、という事実に依るものであり、この様にして、動作モードにおける（相当なものでさえある）ばらつきを決定する全ての予測不能な変数（組立許容誤差、各構成要素の経時変化、燃料の圧力、作動温度、…）の全ての影響が“相殺”される。起動用の時間的な電圧進展ｖ１の獲得の数ミリ秒だけ前に、比較用の時間的な電圧進展ｖ２が獲得されたとき、前記獲得が、同一の構成要素（すなわち、同一の電磁式噴射器４）に関してだけでなく、まさに同一の周囲条件（燃料圧力、作動温度、…）下でも行われることが明らかであり、その様にすることにより、起動用の時間的な電圧進展ｖ１と比較用の時間的な電圧進展ｖ２との間の比較は、決して、予測不能な変数により影響されず、噴射バルブ１５の閉じ時点ｔ５が高精度で決定されることを許容する。
【００５７】
既に上述された如く、噴射器が少量の燃料を噴射すべく使用されるとき、電磁式噴射器４の実際の閉じ時点を知ることは非常に重要である、と言うのも、その様にすることにより、噴射動作毎に噴射器により噴射された実際の燃料量が高精度で見積もられ得るからである。この様にして、電磁式燃料噴射器４は、（約１ミリグラムの）非常に少量の燃料を噴射すべく瞬発領域においても使用されると同時に、噴射動作の適切な精度を確実とし得る。非常に少量の燃料の噴射における精度は、噴射器の各特性のばらつきを減少することによっては達成されない（これは、非常に複雑で高コストな操作である）が、それは、噴射動作毎に噴射器により噴射された実際の燃料量を知るという事実を用いて、理想的な条件からの相違を即時に修正する（噴射された実際の燃料量が、実際の閉じ時間を知るという事実を用いて見積もられる）という可能性に依り達成されることが指摘されねばならない。
【００５８】
更に、電磁式燃料噴射器４の閉じ時点を決定する上述の方法は、既存の電子制御ユニット９においてさえも容易で安価である、と言うのも、それは、燃料噴射システムにおいて既に通常的に存在するハードウェアに対する付加的なハードウェアの追加を必要とせず、大きな計算能力を必要とせず、且つ、大きなメモリ空間を必要としないからである。
【００５９】
電磁式燃料噴射器４の立ち上がり時間ＴＯを決定する上述の方法は、多くの利点を有している。
【００６０】
第１に、立ち上がり時間ＴＯを決定する上述の方法は、電磁式噴射器４の実際の立ち上がり時間ＴＯが良好な精度を以て識別されることを許容する。電磁式噴射器４の実際の立ち上がり時間ＴＯを知ることは重要である、と言うのも、噴射の法則において、立ち上がり時間ＴＯは、開き無しの初期領域Ａと瞬発動作領域Ｂとの間の境界を確立し、実際、噴射時間ＴＩＮＪが立ち上がり時間ＴＯより短ければ、噴射バルブ１５は開かないので、状態は開き無しの初期領域Ａに在るが、噴射時間ＴＩＮＪが立ち上がり時間ＴＯより長ければ、噴射バルブ１５は開くことから、状態は瞬発動作領域Ｂに在る（又は、噴射時間ＴＩＮＪが十分に長いなら、状態は線形領域Ｃに在る）。故に、電磁式噴射器４の実際の立ち上がり時間ＴＯを知ることは、対応する噴射の法則をより良く知ることに繋がることから、電磁式噴射器４は高精度を以て制御され得る。
【００６１】
更に、電磁式燃料噴射器４の立ち上がり時間ＴＯを決定する上述の方法は、既存の電子制御ユニット９においてさえも実施が容易で安価である、と言うのも、それは、燃料噴射システムにおいて既に通常的に存在するハードウェアに対する付加的なハードウェアの追加を必要とせず、大きな計算能力を必要とせず、且つ、大きなメモリ空間を必要としないからである。
【符号の説明】
【００６２】
１    噴射システム
２    エンジン
３    シリンダ
４    噴射器
５    共通経路
６    高圧ポンプ
７    低圧ポンプ
８    タンク
９    電子制御ユニット
１０    噴射器４の長手軸線
１１    噴射ノズル
１２    支持本体
１３    送給チャネル
１４    電磁式アクチュエータ
１５    噴射バルブ
１６    コイル
１７    円環状ケーシング
１８    固定磁極
１９    可動電機子
２０    磁的電機子
２１    環状台座
２２    磁的ワッシャ
２３    プランジャ
２４    バルブ・シート
２５    中央孔
２６    閉じスプリング
２７    衝当体
１００    端子
１０１    端子
ｔ１    時点
ｔ２    時点
ｔ３    時点
ｔ４    時点
ｔ５    時点
Ａ    初期領域
Ｂ    瞬発領域
Ｃ    線形領域
Ｑ    燃料量
ＴＩＮＪ    噴射時間
ＴＨＹＤ    油圧時間
ＴＣ    閉じ時間
ＴＺ    ゼロ化時間
ＴＦ    飛翔時間
ＴＯ    立ち上がり時間
ｖ１    第１の時間的な電圧進展
ｖ２    第２の時間的な電圧進展
Δｖ    電圧差
【図１】
2019206966.tif 000003
【図２】
2019206966.tif 000004
【図３】
2019206966.tif 000005
【図４】
2019206966.tif 000006
【図５】
2019206966.tif 000007
【図６】
2019206966.tif 000008
【図７】
2019206966.tif 000009
【外国語明細書】
2019206966000001.pdf